(57)【要約】【課題】  マンホール等の円形状の領域に対して、短時間で適切な境界面での舗装材のはみ出し防止処理の敷き均し及び、必要に応じて、マンホールの上に付着したりした舗装材の除去と清掃をし、効率的な舗装施工と品質向上を可能とする舗装用レーキを提供すること。【解決手段】  本発明の舗装用レーキ１は、均し板５と柄２とを有し、均し板５の前面が凸面形状となるように湾曲し、均し板５の上部にはブラシ７が取付けされている。さらに柄２は、均し板５の下辺５bを全部接地させたとき、上方を向くように取付け角調整板を挟んで、均し板５と着脱可能となるように取付けされている。【選択図】図１
2009228353.tif 000002
【特許請求の範囲】
【請求項１】
均し板と柄とを有する舗装用レーキにおいて、
前記均し板が平面ではなく、均し板の前面が凸面形状となるように湾曲していることを特徴とする舗装用レーキ。
【請求項２】
請求項１に記載の舗装用レーキにおいて、
前記均し板と前記柄の取付けは、前記均し板の下辺を全部接地させたときに、前記柄が上方を向くように取付けられたことを特徴とする舗装用レーキ。
【請求項３】
請求項１または請求項２に記載の舗装用レーキにおいて、
アスファルト合材等の舗装材の除去作業等に供する為のブラシが、均し板の上部に取付けされていることを特徴とする舗装用レーキ。
【発明の詳細な説明】
【技術分野】
【０００１】
本発明は、道路等の舗装を行う際に、円形のマンホール上に敷き均されたアスファルト合材等の舗装材の除去と清掃及び、円形のマンホール周囲の敷き均しをするための舗装用レーキに関する。
【背景技術】
【０００２】
道路等の舗装・補修時には、アスファルト合材等の舗装材を該当範囲にアスファルトフィニッシャー等の機械にて敷き均し、ローラ等の転圧機械で転圧して締め固める。特に、小規模範囲の舗装・補修工事においては、一般てきに、人力にて舗装材の投入や敷き均しをする。人力にての敷き均しでは、通常、特許文献１に記載されているようなＴ字型の舗装用レーキが使用されている。これらの舗装用レーキにより、舗装材を所定の範囲内に敷き広げて敷き均しをし、転圧後に規定の舗装路面の高さが得られるように、所定の高さまで舗装材の余盛りをして、敷き均しがされている。そして、機械施工にせよ、人力施工にせよ、舗装範囲の端部においては、前記のＴ字型の舗装用レーキ等にて、境界面が内側へ傾斜した斜面となるような余盛の処理がなされ、余盛り部分が転圧によって、舗装範囲の境界外へはみ出ることが防止されている。
【０００３】
通常、道路には各種のマンホールが設置されており、新設道路の舗装、改修舗装、補修舗装等の舗装工事において、アスファルトフィニッシャー等の機械でアスファルト合材等の舗装材の敷き均し施工をする際に、既設のマンホールの上にも舗装材が敷き均されることは、避けられず、ローラ等での転圧締め固めをする前に、速やかにマンホールの上の舗装材の除去と清掃及び、マンホールとの境界面の舗装材のはみ出し防止処理をしなければならない。又、小規模範囲の舗装・補修工事においての、人力にての舗装材の敷き均しにおいても、施工範囲内に既設のマンホールがあり、マンホールの上に舗装材の付着があれば、舗装材の除去と清掃をし、尚且つ、マンホールとの境界面の舗装材のはみ出し防止処理をしなければならない。
【特許文献１】登録実用新案第３０７２８９５号公報
【発明の開示】
【発明が解決しようとする課題】
【０００４】
しかしながら、円形のマンホールの上に敷き均されたり、付着したアスファルト合材等の舗装材の除去と清掃及び、マンホールとの境界面の舗装材のはみ出し防止処理の作業をするには、マンホールの形状が円形であるため、前記した従来のＴ字型の舗装用レーキでは使い勝手が悪く、作業時間もかかるし、施工品質の向上も難しく、清掃作業に及んでは、箒やブラシ等の作業道具も別途必要となるという問題点があった。
【０００５】
本発明は、前記した従来の舗装用レーキの有する問題点を解決するためになされたものであり、その課題とするところは、マンホール等の円形状の領域に対して、短時間で適切な境界面での舗装材のはみ出し防止処理の敷き均し及び、必要に応じて、マンホールの上に付着したりした舗装材の除去と清掃をし、効率的な舗装施工と品質向上を可能とする舗装用レーキを提供することにある。
【課題を解決するための手段】
【０００６】
そして、上記目的を達成するためになされた本発明は、均し板と柄とを有する舗装用レーキであり、均し板の前面が凸面形状となるように湾曲し、均し板の上部にはブラシが取付けされたものである。
【０００７】
本発明の舗装用レーキによれば、均し板の前面が凸面形状となるように湾曲しているので、円形のマンホールとの境界面の舗装材の余盛り処理をするときに、柄の保持角度を調整して、均し板の前面の傾斜角度を変化させ、均し板を押し当てていけば、マンホールの円形に沿っての境界面での舗装材の余盛りで所定の傾斜角度を容易に付けることができ、マンホールとの境界面の舗装材のはみ出し防止処理ができる。
【０００８】
さらに本発明では、均し板の下辺を全部接地させたときに、柄が３０度〜４５度程度上方を向くように取付けられているので、楽な姿勢で作業ができる。また、従来のＴ字型舗装用レーキの舗装材等の敷き均し作業にも容易に対応できる。
【０００９】
さらに本発明では、均し板の上部にブラシが装着されているので、装着されたブラシを使うことのより、別途清掃道具等を用意することなくマンホールの上に取り残されたり、付着した舗装材等の除去及び清掃ができる。
【発明の効果】
【００１０】
上述した本発明の舗装用レーキによれば、円形のマンホールとの境界面での舗装材の余盛り処理、及び敷き均しをする時に、均し板の前面が凸面形状に湾曲しているので、マンホールの円形に沿って境界面での舗装材の余盛り作業が容易になり、均し板と柄が上方に向くように取り付けられていることから、余盛りでの所定の傾斜角度をつける事、及び境界面周辺の敷き均し作業にも容易に対応できるので、短時間で適切な作業ができ、加えて、マンホールの上部の清掃を速やかにすることにより、効率的で高品質な舗装施工が可能となる。
【発明を実施するための最良の形態】
【００１１】
以下、本発明の実施の形態を図１〜図８に基づいて詳細に説明する。
【００１２】
本形態の舗装用レーキ１は、図１〜図５に示すように、前面が凸面形状の均し板５と棒状の柄２とを有し、これらが取付け金具３と取付け角調整板６とボルト・ナット４によって固定されている。均し板の上部には、舗装材等の除去及び清掃用のブラシ７が取付けされている。均し板５と取付け角調整板６は木製であり、取付け金具３と柄２はアルミ等の金属製のものを使用している。ブラシ７には強度のある金属性のもが取付けされている。
【００１３】
均し板５は上辺５aと下辺５bとが平行で前面が凸面形状となるような湾曲した板状のものである。
【００１４】
柄２は、均し板５の下辺５bを全部接地させたときに、上方に向くように取付け角調整板６を挟んで、取付け金具３で、均し板５にボルト・ナット４にて固定されている。
【００１５】
次に、本発明の舗装用レーキ１を使用したマンホールとの境界面の舗装材等の余盛り処理及び、マンホールの上の舗装材等の除去と清掃の施工工程について説明する。
まず、（１）舗装施工の範囲内にマンホールが設置されているところに、機械又は人力での舗装材の敷き均しがされる。次に（２）マンホールの鉄蓋２１の上に取り残された舗装材等を均し板の下辺５bをマンホールの鉄蓋に密着させながら、マンホールの鉄蓋の上から押し出す。その後、ブラシ７を使用しマンホールの鉄蓋に付着した舗装材等を清掃する。次に（３）マンホールの受枠２２と舗装との境界面３３での余盛３１の境界面処理の傾斜３２を付けるために、均し板５を、所定の傾斜角になるように操作しながら、余盛り３１の境界面での舗装材を円形に斜面成形する。
【００１６】
次に、（４）マンホールの外に均し板５で押し出したり、ブラシ７で掃きだした舗装材をマンホールの外周辺に本発明の舗装用レーキで、敷き均しをする。その後ローラ等の機械転圧をし、舗装工事等の施工は終了する。
【００１７】
以上詳細に説明したように、本形態の舗装用レーキ１によれば、凸面形状の均し板５を有しているので、円形のマンホールとの境界面の舗装材等の余盛り処理をすることは容易であり、柄２が上方に向くように取付けられていることにより、通常の敷き均し作業も容易である。さらに、ブラシ７が取付けされていることによりマンホールの鉄蓋２１の清掃が速やかにでき、効率的な舗装施工と品質向上が可能となる舗装用レーキ１となっている。
【００１８】
なお、本実施の形態は単なる例示にすぎず、本発明を何ら限定しない。したがって本発明は必然的にその要旨を逸脱しない範囲内で種々の改良、変形が可能である。
例えば、均し板５や柄２の材質は上記の例に限らない。又、均し板の取付け方法も上記に限らず、着脱交換が可能であればよい。
【図面の簡単な説明】
【００１９】
【図１】本形態に係る舗装用レーキ一例を示す一部破断外観図。
【図２】図１の平面図。
【図３】図２の下側正面図。
【図４】図２の右側側面図。
【図５】図４の右側裏面図。
【図６】舗装道路の既設マンホール。
【図７】図６の切断面Ａ−Ｂに沿う矢印方向断面図。
【図８】図２の右側側面図とマンホールとの境界面の舗装材の余盛りの図面。
【符号の説明】
【００２０】
１舗装用レーキ
２柄
３取付け金具
４ボルト・ナット
５均し板
５a均し板上辺
５b均し板下辺
６取付け角調整板
７ブラシ
２１マンホール鉄蓋
２２マンホール鉄蓋受枠
３１表層舗装時の敷き均し余盛り
３２境界面での余盛処理の傾斜
３３マンホール鉄蓋受枠と舗装との境界面
【図１】
2009228353.tif 000003
【図２】
2009228353.tif 000004
【図３】
2009228353.tif 000005
【図４】
2009228353.tif 000006
【図５】
2009228353.tif 000007
【図６】
2009228353.tif 000008
【図７】
2009228353.tif 000009
【図８】
2009228353.tif 000010